(57)【要約】      （修正有）【課題】最良の美を演出することができ、これまでにない斬新なバッグを提供する。【解決手段】バッグ本体１１０の表面部に帯結び背部１２２の装飾を施し、バッグ本体１１０の裏面部に帯結び前部の装飾を施した。帯は結んだ状態で最良の美を放つのである。このようにして、最良の美を演出することができ、これまでにない斬新なバッグを提供することが可能である。また、立体的な飾りにしたことにより、飾り部分が点で物に接触することになるため、平面的な飾りが物に全面接触する場合と比較して、接触部分が最小になることにより、バッグの汚れを防ぐことができる。【選択図】図１
0003197237.tif 000002
【実用新案登録請求の範囲】
【請求項１】
バッグ本体の表面部に帯結び背部の装飾を施したことを特徴とする、バッグ。
【請求項２】
さらに、前記バッグ本体の裏面部に帯結び前部の装飾を施したことを特徴とする、請求項１に記載のバッグ。
【請求項３】
前記帯結び背部の装飾は、複数のパーツを組み合わせて形成されることを特徴とする、請求項１又は２に記載のバッグ。
【請求項４】
前記帯結び背部の装飾に使用する帯に、形状保持のための接着芯を貼ったことを特徴とする、請求項１〜３のいずれかに記載のバッグ。
【請求項５】
前記帯結び背部の装飾の内部に、形状保持のための詰め物を入れたことを特徴とする、請求項１〜４のいずれかに記載のバッグ。
【請求項６】
前記バッグ本体と前記帯結び背部の装飾との間に、１又は２以上のポケットを設けたことを特徴とする、請求項１〜５のいずれかに記載のバッグ。
【考案の詳細な説明】
【技術分野】
【０００１】
本考案はバッグに関する。
【背景技術】
【０００２】
日本の民族衣装である和服、例えば着物や和装帯などは、貴重なものとして代々受け継がれている。しかし、時代の変化により和服を着用する機会が少なくなり、着物・和装帯ともしまいこまれた状態になりがちである。このため、着物や和装帯を作り直すこと、すなわち、着物や和装帯の再利用が提案されている。なお以下では、和装帯のことを単に帯とも言う。
【０００３】
例えば、実用新案登録第３１６９９０６号公報（特許文献１）には、バッグ本体が革からなり、そのバッグの一面に使われなくなった帯を用いて製作したバッグが記載されている。量産ではなく一つ一つがハンドメイドになっていて、帯の持つ繊細、気品、優雅さなど日本の帯を創作、蘇生されたものとなっている。
【０００４】
また、帯地をバッグに再利用している考案は、特許文献１だけでなく、実用新案登録第３１２８８８４号公報（特許文献２）にも開示されている。特許文献２には、バッグ本体部分の表地の全体、また本体部分の裏地の全体もしくはそれぞれの部分を構成する素材として、所定形状に裁断した帯地を用いたことを特徴とするバッグが記載されている。
【先行技術文献】
【特許文献】
【０００５】
【特許文献１】実用新案登録第３１６９９０６号公報
【特許文献２】実用新案登録第３１２８８８４号公報
【考案の概要】
【考案が解決しようとする課題】
【０００６】
しかし、上記特許文献１及び特許文献２に開示される従来のバッグは、ともに帯を平面的に使用しているものであり、斬新さに欠けていた。また、立体的な飾りを施したバッグも知られているが、従来のバッグに施される立体的な飾りは、バッグ本体と同素材（革、生地等）あるいはビーズ、プラスチック、金属等でできているものが多く、こちらも斬新さに欠けるものであった。
【０００７】
そこで本考案は、このような問題に鑑みてなされたもので、その目的とするところは、最良の美を演出することができ、これまでにない斬新なバッグを提供することにある。
【課題を解決するための手段】
【０００８】
上記課題を解決するために、本考案によれば、バッグ本体の表面部に帯結び背部の装飾を施したことを特徴とするバッグが提供される。
【０００９】
かかる本考案によれば、バッグの表面部に帯結び背部の装飾を施すことで、バッグを身に着けたときに帯を結んだ状態を表現することができる。帯は結んだ状態で最良の美を放つのである。このようにして、最良の美を演出することができ、これまでにない斬新なバッグを提供することが可能である。また、立体的な飾りにしたことにより、飾り部分が点で物に接触することになるため、平面的な飾りが物に全面接触する場合と比較して、接触部分が最小になることにより、バッグの汚れを防ぐことができる。
【００１０】
本考案は様々な応用が可能である。例えば、さらに、前記バッグ本体の裏面部に帯結び前部の装飾を施すようにしてもよい。バッグ本体の裏面部に帯結び前部の装飾を施すことで、バッグの表裏全体に帯結びの装飾を施すことができ、より斬新性の高いバッグとすることができる。
【００１１】
また、前記帯結び背部の装飾は、一本の帯をそのまま結んでもよく、あるいは、複数のパーツを組み合わせることによって帯結びの形態に形成してもよい。
【００１２】
また、前記帯結び背部に使用する帯に、形状保持のための接着芯を貼るようにしてもよい。前記帯結び前部についても同様である。バッグの型崩れを防ぎ、伸びやたるみや解れを防ぐことができる。
【００１３】
また、前記帯結び背部の装飾の内部に、形状保持のための詰め物を入れるようにしてもよい。バッグの帯結び部分の強度を高めることができる。
【００１４】
また、前記バッグ本体と前記帯結び背部の装飾との間に、１又は２以上のポケットを設けるようにしてもよい。バッグ本体と帯結び前部との間にポケットがあると、使い勝手がよく、利便性の高いバッグとすることができる。
【考案の効果】
【００１５】
本考案によれば、バッグを身に着けたときに帯を結んだ状態を表現することができ、最良の美を放つバッグとすることができる。なお、本考案のその他の効果や応用例については、さらに後述する。
【図面の簡単な説明】
【００１６】
【図１】本考案の一実施形態にかかるバッグの正面図である。
【図２】図１のバッグの背面図である。
【図３】図１のバッグの側面図である。
【考案を実施するための形態】
【００１７】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１８】
本考案の一実施形態にかかるバッグについて、図１〜図３を参照しながら説明する。図１は、本考案の一実施形態にかかるバッグ１００の正面図である。図２は、バッグ１００の背面図である。図３は、バッグ１００の側面図である。本実施形態のバッグ１００は、図１〜図３に示したように、バッグ本体１１０と、帯結び１２０と、ポケット１３０とを備えたことを特徴とする。以下、バッグ１００の構成要素について順に説明する。
【００１９】
バッグ本体１１０は、所定の大きさの収納部を有し、長方形、円形、楕円形などの形態を有する。バッグ本体１１０の素材は革（皮）や布地等の素材からなる。なお、図１〜図３に示したバッグ本体１１０は一例に過ぎず、本考案はあらゆるバッグに適用できる。バッグ本体１１０自体は本実施形態に特徴的なものではなく、ごく一般的なものを採用することができるため、これ以上の詳細な説明を割愛する。
【００２０】
（帯結び１２０）
本実施形態に特徴的な構成要素である帯結び１２０について説明する。
帯結び１２０は、図１〜図３に示したように、バッグ本体１１０の表面に施される帯結び背部１２２と、バッグ本体の１１０の裏面に施される帯結び前部１２４と、帯締め１２６とからなる。なお、バッグ本体１１０の「表面」とは、図１に示した帯結び背部１２２が施される側であり、バッグ１００の使用者がバッグを身に付けた際に、表に出る側のことである。そしてこの反対側が、図２に示したバッグ本体１００の「裏面」である。また、帯結び背部１２２の「背部」とは、文字どおり、着物を着用した際の帯結びの背部側のことである（図１）。そしてこの反対側が帯結び前部１２４の「前部」である（図２）。
【００２１】
帯結び背部１２２、帯結び前部１２４及び帯締め１２６は、帯地が裁断されて形成される。この裁断する前に、不織布に接着樹脂の付いた接着芯が全面に又は必要箇所に貼られる。これは型崩れを防ぎ、伸びやたるみや解れを防いで、縫いやすくする効果がある。なお、帯結び１２０の素材は、帯地に限定されず、他の布地で構成することも可能である。
【００２２】
また、帯地に厚みを持たせたり、硬さを与えることも可能である。これにより内側から表地を支え、張りをも得ることができ、美しいシルエットを作り出すことができる。
【００２３】
また、帯地の表面をそのまま使用するようにしてもよく、あるいは、帯地の表面にラミネート加工をし、表面保護や耐久性、耐水性、耐摩性、耐光性を高めることもできる。いずれにしても、立体形状の表現に直接の影響を及ぼすものではない。
【００２４】
本実施形態では、帯結び背部１２２の装飾は、複数のパーツ１２２ａ、１２２ｂ、１２２ｃ、１２２ｄ、１２２ｅから構成される。帯地を所定の形状に裁断し、組み合わせて形を作り、接着又は縫製し、立体形状にする。
【００２５】
帯結び前部のパーツ１２２ａ、１２２ｂ、１２２ｃ、１２２ｄ、１２２ｅを組み立てていく過程において、要所要所で、ふくらみを持たせ型を保持するため、詰め物を入れることができる。軽量のあんこを詰め物とすることができる。このようにすることで、図１〜図３に示したような、帯結び背部１２２の立体感をくずさずに保つことができる。
【００２６】
帯結び背部１２２は、一般的な二重太鼓やふくら雀だけでなく、オリジナルな帯結びを実施することもでき、さまざまなデザインのものとすることができる。
【００２７】
帯結び前部１２４は、図１〜図３に示したように、バッグ本体１１０の裏面に施される。バッグ本体１１０の裏面部に帯結び前部１２４の装飾を施すことで、バッグ１１０の表裏全体に帯結びの装飾を施すことができ、より斬新性の高いバッグとすることができる。また、帯締め１２６は、図１〜図３に示したように、バッグ本体１１０を囲むように設けられる。このようにして、帯結び背部１２２、帯結び前部１２４及び帯締め１２６の全体で、帯結び１２０が形成される。
【００２８】
（ポケット１３０）
本実施形態のバッグ１００は、図３に示したように、バッグ本体１１０と帯結び背部１２２との間に、ポケット１３０を設けている。ポケット１３０は、１つでもよく２つ以上でもよい。また、ポケット１３０の形態は任意でよい。例えば、ファスナーやボタンや面ファスナーなどで開閉できるようにしてもよい。このようなポケット１３０によれば、バッグ１００全体のデザインに影響を及ぼすことなく、使用者にとって使い勝手がよく、利便性が高い。
【００２９】
（本実施形態の効果）
以上説明したように、本実施形態のバッグ１００によれば、バッグ１００を身に着けたときに帯を結んだ状態を表現することができ、最良の美を放つバッグとすることができる。このようにして、最良の美を演出することができ、これまでにない斬新なバッグを提供することが可能である。
【００３０】
また、立体的な飾りにしたことにより、飾り部分が点で物に接触することになるため、平面的な飾りの場合の全面接触の場合と比較して、接触面が最小になることにより、バッグ１００の汚れを防ぐことが可能である。
【００３１】
また、帯結び１２０に使用する帯に、形状保持のための接着芯を貼るようにしたり、帯結び背部１２２の内部に、形状保持のための詰め物を入れるようにしたことで、帯結び１２０の強度を高めることができる。
【００３２】
また、バッグ本体１１０と帯結び背部１２２との間に、ポケット１３０を設けることで、使い勝手がよく、利便性の高いバッグとすることができる。
【００３３】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００３４】
例えば、上記実施形態では、帯結び１２０の構成として、帯結び背部１２２、帯結び前部１２４及び帯締め１２６からなる構成について説明したが、本考案はこれに限定されない。少なくとも帯締め背部１２２を設けることにより、バッグの斬新性を高めることができる。帯結び前部１２４及び帯締め１２６はデザイン性を高めるのに効果があるが、必ずしも設けなくてもよい。
【００３５】
また、上記実施形態では、帯結び背部１２２の装飾として、複数のパーツ１２２ａ〜１２２ｅを組み合わせて形成されることについて説明したが、本考案はこれに限定されない。一本の帯を一般的な手法で帯結びするようにしてもよい。
【００３６】
また、上記実施形態では、帯結び１２０に使用する帯に、形状保持のための接着芯を貼ったことについて説明したが、本考案はこれに限定されない。コストや生産性等を考慮して、必ずしも接着芯を貼らなくてもよい。
【００３７】
また、上記実施形態では、帯結び背部１２２の内部に、形状保持のための詰め物を入れたことについて説明したが、本考案はこれに限定されない。コストや生産性等を考慮して、必ずしも詰め物を入れなくてもよい。
【００３８】
また、上記実施形態では、バッグ本体１１０と帯結び背部１２２との間に、１又は２以上のポケット１３０を設けたことについて説明したが、本考案はこれに限定されない。バッグのデザインやタイプ等に応じて、必ずしもバッグ本体と帯結び前部との間にポケットを設けなくてもよい。
【００３９】
また、上記実施形態では、帯結び１２０の装飾を接着又は縫製により取り付ける例について説明したが、本考案はこれに限定されない。帯結びの装飾を取り付け及び取り外し自在な構成としてもよい。
【産業上の利用可能性】
【００４０】
本考案はバッグに利用可能である。
【符号の説明】
【００４１】
１００  バッグ
１１０  バッグ本体
１２０  帯結び
１２２  帯結び背部
１２２ａ、１２２ｂ、１２２ｃ、１２２ｄ、１２２ｅ  帯結び背部のパーツ
１２４  帯結び前部
１２６  帯締め
１３０  ポケット
【図１】
0003197237.tif 000003
【図２】
0003197237.tif 000004
【図３】
0003197237.tif 000005